(57)【要約】  海洋生物資源をベースとする洗浄製品が、最適化された方法を使用することにより、担体としての廃棄物マイクロナノ骨格材料、並びに補助材料としての、海藻活性物質、生物学的活性触媒及び脱イオン水を、特定の割合及び適切な温度で使用することによって調製される。【選択図】なし【特許請求の範囲】
【請求項１】
製品の組成が、マイクロナノ貝殻骨格材料、海藻活性物質、生物学的活性触媒及び脱イオン水を含むことを特徴とする、海洋生物資源をベースとする健康によく環境にやさしいマイクロナノ洗浄製品。
【請求項２】
１００質量部に基づいて、前記製品の各成分の質量による含有率が、
成分                                質量部
マイクロナノ貝殻骨格材料            １０〜４０
海藻活性物質                        １０〜３０
生物学的活性触媒                    ５〜２５
脱イオン水                          残余
であることを特徴とする、請求項１に記載の海洋生物資源をベースとする健康によく環境にやさしいマイクロナノ洗浄製品。
【請求項３】
前記海藻活性物質が藻類から抽出されたアルギン酸ナトリウムであることを特徴とする、請求項２に記載の海洋生物資源をベースとする健康によく環境にやさしいマイクロナノ洗浄製品。
【請求項４】
前記マイクロナノ貝殻骨格材料を調製する方法が、１）酸及び塩基を使用して、貝殻表面にある有機及び無機汚染物を貝殻から逐次的に除去するステップ；２）処理された貝殻を、電熱型吹き込み乾燥ボックスに入れて乾燥させるステップ；３）乾燥された貝殻を、粉砕機を使用して粉砕し、２００〜３００メッシュの篩を通すステップ；４）得られた貝殻粉末を活性化するステップであって、前記貝殻粉末を低温予備焼結状態にして、その中の水が完全脱水まで蒸発されることを可能にする、ステップ；及び５）得られた貝殻粉末をマッフル炉に入れて、６００〜１０００℃の高温で２〜４時間、孔変更技術を使用して焼結して、前記マイクロナノ貝殻骨格材料を調製するステップを含むことを特徴とする、請求項２に記載の海洋生物資源をベースとする健康によく環境にやさしいマイクロナノ洗浄製品。
【請求項５】
ステップ１）において、前記貝殻が、イガイ、ホタテガイ、カキ及びアコヤガイのうちの１種又は複数種であり；前記酸が、塩酸、硝酸及び硫酸のうちの１種又は複数種であり；及び前記塩基が、水酸化ナトリウム及び／又は水酸化カリウムであることを特徴とする、請求項４に記載の海洋生物資源をベースとする健康によく環境にやさしいマイクロナノ洗浄製品。
【請求項６】
前記海藻活性物質を抽出する方法が、１）藻類を浸漬して不純物及び水溶性成分、例えば、フコイダン及び無機塩を除去し、次に前記藻類を取り出して、洗浄し、均一なブロックに切るステップ；２）０．００１〜０．０１ｍｏｌ／Ｌの希塩酸で処理して、次に炭酸ナトリウムを加え、４０〜８０℃で０．５〜３時間、攪拌下に反応させるステップ；３）消化液を濾過して粗粒子を除去し、次に希釈のための水を加え、その後、希塩酸を、綿状の沈殿が現れ始めるまでゆっくり加えて、６〜１５時間静置し、最後に、アルギン酸が凝集して酸凝塊になるように、希塩酸をゆっくり加えてｐＨを１．５〜２．５に調節するステップ；及び４）前記酸凝塊を回収し、前記酸凝塊を洗浄、脱水、粉砕し、粉末状炭酸ナトリウムを攪拌下に加え、さらに６〜１０ｗｔ％の水酸化ナトリウムを加えて、攪拌下に均一に混合し、３〜８時間静置して、前記酸凝塊をアルギン酸ナトリウムに完全に変換するステップであって、前記海藻活性物質を得る、ステップ
を含むことを特徴とする、請求項２に記載の海洋生物資源をベースとする健康によく環境にやさしいマイクロナノ洗浄製品。
【請求項７】
前記藻類が、マコンブ及びホンダワラのうちの１種又は複数種であることを特徴とする、請求項６に記載の海洋生物資源をベースとする健康によく環境にやさしいマイクロナノ洗浄製品。
【請求項８】
前記生物学的活性触媒を調製する方法が、１）特定の真菌を洗浄して清浄化し、それを電熱型吹き込み乾燥ボックスに入れて４０〜８０℃で乾燥し、粉砕機で粉砕して、２００〜３００メッシュの篩に通すステップ；２）調製された原料を、圧力下で加熱処理するために、材料と液体の比が（１：８）〜（１：１２）となるように水中に入れるステップであって、加水分解温度が１００℃であり、加水分解時間が２〜５時間で制御される、ステップ；３）加熱処理及び加水分解の完了後、分離して、溶液のｐＨを８〜９．５に調節し、減圧下で濾過して濾液を得るステップ；及び４）得られた濾液の減圧蒸留を、ロータリーエバポレーターを６０〜８０℃で使用して実施し、元の濾液の２５〜４０％に濃縮して、前記生物学的活性触媒を得るステップ
を含むことを特徴とする、請求項２に記載の海洋生物資源をベースとする健康によく環境にやさしいマイクロナノ洗浄製品。
【請求項９】
前記特定の真菌が、ドンコ、シイタケ及びエノキタケのうちの１種又は複数種であることを特徴とする、請求項８に記載の海洋生物資源をベースとする健康によく環境にやさしいマイクロナノ洗浄製品。
【請求項１０】
請求項２〜９のいずれか一項に記載の海洋生物資源をベースとする健康によく環境にやさしいマイクロナノ洗浄製品を調製する方法であって、前記方法の特定の操作のステップが、マイクロナノ貝殻骨格材料、海藻活性物質、生物学的活性触媒及び脱イオン水を、所定の比に従って１５〜５０℃で攪拌し、分子の多相の組合せを実施して濃厚な液体、すなわち、海洋生物資源をベースとする前記健康によく環境にやさしいマイクロナノ洗浄製品を調製するステップを含むことを特徴とする、マイクロナノ洗浄製品を調製する方法。
【発明の詳細な説明】
【技術分野】
【０００１】
本発明は、洗剤製品の調製の技術分野に属し、海洋生物資源をベースとする健康によく環境にやさしいマイクロナノ洗浄製品及び調製方法に特に関する。
【背景技術】
【０００２】
現在、市場には、洗濯石鹸、洗濯用粉末、液体の洗濯用洗剤及び洗濯用ボールなどの広範囲の洗浄製品がある。しかしながら、その大部分は全て人工的に合成され、それらは人体に対してある種の有害性を有するだけでなく、洗浄後に環境汚染を惹起するであろう廃水を排出する。それ故、より健康によく且つより環境にやさしい天然の洗浄製品が依然として、当技術分野において必要とされている。
【０００３】
今日までに、先行技術において、多くの健康によく環境にやさしいマイクロナノ洗浄製品に関する多数の報告がされてきたが、不十分な浸透力、低い汚れ除去効率、複雑で多様な成分、及び配合の顕著な難しさという欠点が未だある。一方、化学成分を使用して、人工的に合成された化合物から調製された他の洗濯用粉末、液体の洗濯用洗剤又は洗濯石鹸は、ヒトの皮膚にある種の有害性を有し且つ環境汚染を引き起こし易い。
【発明の概要】
【０００４】
本発明は、貝殻粉末が強い吸収力及び天然の界面活性物質を有し、生物学的活性触媒が天然に存在するという事実に基づいて、海洋生物資源をベースとする健康によく環境にやさしいマイクロナノ洗浄製品を開発する。成分の適当な選択及び特定の最適化により、上記健康によく環境にやさしいマイクロナノ洗浄製品は、単純な及び効果的な成分、優れた洗浄効果及び健康によくて環境にやさしいという多くの優れた性質を同時に有し、極めて強い汚れ除去力、吸着能力並びに滅菌及び消毒能力を有し、汚染物を分解することができて、環境にやさしく及び手に無害である。
【０００５】
本発明においては、担体としての廃棄物であるマイクロナノ貝殻骨格（ｓｈｅｌｌ  ｓｋｅｌｅｔｏｎ）材料、並びに補助材料としての、海藻活性物質、生物学的活性触媒及び脱イオン水が、最適化されたプロセスを使用して、ある一定の比、適切な温度で調合されて、海洋生物資源をベースとする健康によく環境にやさしいマイクロナノ洗浄製品を形成する。
【０００６】
本発明の海洋生物資源をベースとする健康によく環境にやさしいマイクロナノ洗浄製品の組成は、マイクロナノ貝殻骨格材料、海藻活性物質、生物学的活性触媒及び脱イオン水を含む。
【０００７】
本発明の海洋生物資源をベースとする健康によく環境にやさしいマイクロナノ洗浄製品の各成分の質量による含有率は、１００質量部に基づいて以下の通りである。
成分                                質量部
マイクロナノ貝殻骨格材料            １０〜４０
海藻活性物質                        １０〜３０
生物学的活性触媒                    ５〜２５
脱イオン水                          残余
【０００８】
前記海藻活性物質は、藻類から抽出されたアルギン酸ナトリウムである。
【０００９】
本発明の海洋生物資源をベースとする健康によく環境にやさしいマイクロナノ洗浄製品では、マイクロナノ貝殻骨格材料の質量部は、１０〜４０部であり、この範囲はその中に任意の部分範囲、例えば、１２〜２８部、１５〜３０部、２８〜３６部及び３０〜４０部などを含む。
【００１０】
本発明の海洋生物資源をベースとする健康によく環境にやさしいマイクロナノ洗浄製品では、海藻活性物質の質量部は、１０〜３０部、例えば、１０〜１２部、１２〜１５部及び１５〜２０部などである。
【００１１】
本発明の海洋生物資源をベースとする健康によく環境にやさしいマイクロナノ洗浄製品では、生物学的活性触媒の質量部は、５〜２５部、例えば、５〜１０部、８〜１７部及び１０〜２５部などである。
【００１２】
前記マイクロナノ貝殻骨格材料を調製する方法は、１）酸及び塩基を使用して、貝殻表面にある有機及び無機汚染物を貝殻から逐次的に除去するステップ；２）処理された貝殻を、電熱型吹き込み乾燥ボックスに入れて乾燥させるステップ；３）乾燥された貝殻を、粉砕機を使用して粉砕し、２００〜３００メッシュの篩を通すステップ；４）得られた貝殻粉末を活性化するステップであって、上記貝殻粉末を低温予備焼結状態にして、その中の水が完全脱水まで蒸発されることを可能にする、ステップ；及び５）得られた貝殻粉末をマッフル炉に入れて、６００〜１０００℃の高温で２〜４時間、孔変更技術を使用して焼結して、マイクロナノ貝殻骨格材料を調製するステップを含む。
【００１３】
上のステップ１）において、前記貝殻は、イガイ（ｍｕｓｓｅｌ）、ホタテガイ（ｓｃａｌｌｏｐ）、カキ（ｏｙｓｔｅｒ）及びアコヤガイ（Ｐｉｎｃｔａｄａ  ｍａｒｔｅｎｓｉｉ）のうちの１種又は複数種であり；前記酸は、塩酸、硝酸及び硫酸のうちの１種又は複数種であり；及び前記塩基は水酸化ナトリウム及び／又は水酸化カリウムである。
【００１４】
上のステップ２）において、前記貝殻の乾燥温度は８５℃である。
【００１５】
前記海藻活性物質を抽出する方法は以下の通りである：１）藻類を浸漬して不純物及び水溶性成分、例えば、フコイダン及び無機塩を除去し、次に藻類を取り出して、洗浄し、均一なブロックに切り；２）０．００１〜０．０１ｍｏｌ／Ｌの希塩酸で処理して、次に炭酸ナトリウムを加え、４０〜８０℃で０．５〜３時間、攪拌下に反応させ；３）消化液を濾過して粗粒子を除去し、次に希釈のための水を加え、その後、希塩酸を、綿状の沈殿が現れ始めるまでゆっくり加えて、６〜１５時間静置し、最後に、アルギン酸が凝集して酸凝塊（ａｃｉｄ  ｃｌｏｔ）になるように、希塩酸をゆっくり加えてｐＨを１．５〜２．５に調節し；及び４）その酸凝塊を回収して、酸凝塊を洗浄、脱水、粉砕し、粉末状炭酸ナトリウムを攪拌下に加え、さらに６〜１０ｗｔ％の水酸化ナトリウムを加えて、攪拌下に均一に混合し、３〜８時間静置して、酸凝塊をアルギン酸ナトリウムに完全に変換する、すなわち、海藻活性物質を得る。
【００１６】
上記の藻類は、マコンブ（Ｌａｍｉｎａｒｉａ  ｊａｐｏｎｉｃａ）及びホンダワラ（Ｈａｉｎａｎ  Ｓａｒｇａｓｓｕｍ）のうちの１種又は複数種である。
【００１７】
生物学的活性触媒を調製する方法は、以下の通りである：１）特定の真菌を洗浄して清浄化し、それを電熱型吹き込み乾燥ボックスに入れて４０〜８０℃で乾燥し、粉砕機で粉砕して、２００〜３００メッシュの篩に通し；２）調製された原料を、圧力下で加熱処理するために、材料と液体の比が（１：８）〜（１：１２）となるように水中に入れ、加水分解温度は１００℃であり、加水分解時間は２〜５時間で制御され；３）加熱処理及び加水分解の完了後分離して、上記溶液のｐＨを８〜９．５に調節し、減圧下で濾過して濾液を得；及び４）得られた濾液の減圧蒸留を、ロータリーエバポレーターを６０〜８０℃で使用して実施し、元の濾液の２５〜４０％に濃縮して、生物学的活性触媒を得る。
【００１８】
上記の特定の真菌は、ドンコ（ｓｎａｋｅ  ｂｕｔｔｅｒ）、シイタケ及びエノキタケ（ｎｅｅｄｌｅ  ｍｕｓｈｒｏｏｍ）のうちの１種又は複数種である。
【００１９】
本発明の海洋生物資源をベースとする健康によく環境にやさしいマイクロナノ洗浄製品を調製する方法は、マイクロナノ貝殻骨格材料、海藻活性物質、生物学的活性触媒及び脱イオン水を、上記の比に従って１５〜５０℃で攪拌し、分子の多相の組合せ（ｍｏｌｅｃｕｌａｒ  ｍｕｌｔｉｐｈａｓｅ  ｃｏｍｂｉｎａｔｉｏｎ）を実施して濃厚な液体、すなわち、海洋生物資源をベースとする健康によく環境にやさしいマイクロナノ洗浄製品を調製することを含む。
【００２０】
日常生活で使用するための海洋生物資源をベースとする健康によく環境にやさしいマイクロナノ洗浄製品は、本発明で調製される。その製品はマイクロナノ貝殻骨格材料を主成分として用いて調製され、使用される全ての原料は如何なる化学的添加剤及び人工的に合成された洗剤も添加されていない天然活性材料であり、環境にやさしく、無毒性及び無害であり、衣服における人工的に及び化学的に合成された洗剤の残留物を避けている。それに加えて、本発明の洗浄製品は、強い浸透力、強い汚れ除去力、及び明白な滅菌効果を有し、汚染物を分解することができて、二次汚染を生じない。したがって、本発明の洗浄製品は、広範な工業化の見込み及び市場的価値を有する。
［特定の実施形態］
【００２１】
本発明を、下で特定の実施形態により詳細に説明することにするが、これらの例示の実施形態は、本発明の保護の実際の範囲に対して如何なる形にせよ如何なる限定となることも意図されない。
【００２２】
実施形態１
１．マイクロナノ貝殻骨格材料を調製する方法：１）酸及び塩基を使用して、有機及び無機汚染物をホタテガイ及びカキの表面から逐次的に除去する；２）処理されたホタテガイ及びカキを、電熱型吹き込み乾燥ボックスに入れて８５℃で乾燥する；３）乾燥されたホタテガイ及びカキを、粉砕機を使用して粉砕し、２００メッシュの篩を通す；４）得られた貝殻粉末を活性化する、すなわち、その貝殻粉末を低温予備焼結状態にしてその中の水が完全脱水まで蒸発されることを可能にする；及び５）得られた貝殻粉末をマッフル炉に入れて、８００℃の高温で４時間、孔変更技術を使用して焼結して、マイクロナノ貝殻骨格材料を調製する。
【００２３】
２．前記海藻活性物質の抽出は、１）マコンブを浸漬して不純物及び水溶性成分、例えば、フコイダン及び無機塩を除去し、次にそのマコンブを取り出して、洗浄し、均一なブロックに切ること；２）０．００５ｍｏｌ／Ｌの希塩酸により２５℃で処理して、次に炭酸ナトリウムを加え、攪拌下に６５℃で１．５時間反応させること；３）その消化液を濾過して粗粒子を除去し、濾過した後、希塩酸を、上記希釈された材料液体に、綿状の沈殿が現れ始めるまでゆっくり加え、次に１０時間静置して、最後に、アルギン酸が凝集して酸凝塊になるように、希塩酸をゆっくり加えてｐＨを約２に調節すること；及び４）酸凝塊を回収して、酸凝塊を洗浄、脱水、粉砕して、粉末状炭酸ナトリウムを攪拌下に加え、約８ｗｔ％の水酸化ナトリウムをさらに加えて、攪拌下で均一に混合し、５時間静置して、その変換プロセスを完了させてアルギン酸ナトリウムを生成させることを含む。
【００２４】
３．生物学的活性触媒の調製は以下の通りである：１）ドンコ及びシイタケを洗浄して清浄化し、それを電熱型吹き込み乾燥ボックスに入れて６５℃で乾燥させ、粉砕機で粉砕して、２００メッシュの篩に通し；２）調製された原料を、圧力下で加熱処理するために、材料と液体の比が１：９となるように水中に入れ、加水分解温度は１００℃であり、加水分解時間は３時間で制御され；３）加熱処理及び加水分解の完了後分離して、上記溶液のｐＨを９に調節して、減圧下で濾過して濾液を得；４）得られた濾液の減圧蒸留を、ロータリーエバポレーターを７０℃で使用して実施して、元の濾液の１／３に濃縮して、生物学的活性触媒を得る。
【００２５】
合計を１００質量部として、１０質量部の上記の調製されたマイクロナノ貝殻骨格材料、１５質量部の上記の調製された海藻活性物質、８質量部の上記の調製された生物学的活性触媒及び残余の脱イオン水を、均一に混合して、３５℃で攪拌し、分子の多相の組合せを実施して濃厚な液体、すなわち、海洋生物資源をベースとする健康によく環境にやさしいマイクロナノ洗浄製品を調製し、第１群と名づける。
【００２６】
実施形態２
合計を１００質量部として、２０質量部の実施形態１で調製されたマイクロナノ貝殻骨格材料、２０質量部の実施形態１で調製された海藻活性物質、１０質量部の実施形態１で調製された生物学的活性触媒及び残余の脱イオン水を、均一に混合して、３５℃で攪拌し、分子の多相の組合せを実施して濃厚な液体、すなわち、海洋生物資源をベースとする健康によく環境にやさしいマイクロナノ洗浄製品を調製し、第２群と名づける。
【００２７】
実施形態３
合計を１００質量部として、２５質量部の実施形態１で調製されたマイクロナノ貝殻骨格材料、２０質量部の実施形態１で調製された海藻活性物質、１５質量部の実施形態１で調製された生物学的活性触媒及び残余の脱イオン水を、均一に混合して、３５℃で攪拌し、分子の多相の組合せを実施して濃厚な液体、すなわち、海洋生物資源をベースとする健康によく環境にやさしいマイクロナノ洗浄製品を調製し、第３群と名づける。
【００２８】
実施形態４
合計を１００質量部として、２０質量部の実施形態１で調製されたマイクロナノ貝殻骨格材料、１８質量部の実施形態１で調製された海藻活性物質、２０質量部の実施形態１で調製された生物学的活性触媒及び残余の脱イオン水を、均一に混合して、３５℃で攪拌し、分子の多相の組合せを実施して濃厚な液体、すなわち、海洋生物資源をベースとする健康によく環境にやさしいマイクロナノ洗浄製品を調製し、第４群と名づける。
【００２９】
実施形態５
合計を１００質量部として、３０質量部の実施形態１で調製されたマイクロナノ貝殻骨格材料、２０質量部の実施形態１で調製された海藻活性物質、１５質量部の実施形態１で調製された生物学的活性触媒及び残余の脱イオン水を、均一に混合して、３５℃で攪拌し、分子の多相の組合せを実施して濃厚な液体、すなわち、海洋生物資源をベースとする健康によく環境にやさしいマイクロナノ洗浄製品を調製し、第５群と名づける。
【００３０】
性能試験の実験
１．汚れ除去効果試験：同じ種類の均一な汚れにより汚された、長方形の同じ寸法の白色布ストリップを洗浄機に入れて、次に実施形態１〜５で調製された同じ重量の海洋生物資源をベースとする健康によく環境にやさしいマイクロナノ洗浄製品を加え、それらを分散させた後、洗浄機を始動して同じ時間洗浄し、次に白色度の計器（白色度計）を使用してそれらの白色度及び清浄度を測定する。
【００３１】
実験ステップ：
（１）清浄な白色布ストリップの白色度及び清浄度を、３回測定の平均値を取って参照標準として測定する；
（２）５片の汚れた布ストリップを実験群として取り、洗浄前の５群の汚れた布ストリップの白色度及び清浄度をそれぞれ試験して、３回測定の平均値を取る；
（３）５群の汚れた布ストリップを、上記の方法により洗浄し、次に風乾して、汚れた布ストリップの洗浄後の白色度及び清浄度を決定し、３回測定の平均値を取る；及び
（４）以下の式を使用して汚れ除去効率を計算する：
汚れ除去効率（％）＝［（汚れた布ストリップの洗浄後の白色度及び清浄度−汚れた布ストリップの洗浄前の白色度及び清浄度）／（清浄な白色布ストリップの白色度及び清浄度−汚れた布ストリップの洗浄前の白色度及び清浄度）］×１００％。実験結果を表１に示す。
【００３２】
２．滅菌効果試験：黄色ブドウ球菌及び大腸菌を滅菌試験ための細菌の種として使用し、実施形態１〜５で調製された海洋生物資源をベースとする健康によく環境にやさしいマイクロナノ洗浄製品を滅菌剤として使用する。
【００３３】
実験ステップ：
（１）黄色ブドウ球菌及び大腸菌の０．５ｍＬの細菌懸濁液と、４．５ｍＬの本発明の実施形態１〜５で調製された海洋生物資源をベースとする健康によく環境にやさしいマイクロナノ洗浄製品とをそれぞれ均一に混合し、静置して１０分間作用させた後、２種の細菌−滅菌剤懸濁液をそれぞれ得る；及び
（２）０．５ｍＬの各細菌−滅菌剤懸濁液を取り、４．５ｍＬの中和剤を加え、それを均一に混合した後、一体化を８分間行って、０．５ｍＬのそれぞれ均一に混合された液体をプレートに接種して、添加物のない寒天を注いで均一に混合し、培養を３７℃で３６時間実施し、コロニーの数を数えて、滅菌率を計算した。実験結果を表２に示す。
【００３４】
結果の分析：
【表１】
2017504697.tif 000002
【００３５】
表１における結果から、本発明の健康によく環境にやさしいマイクロナノ洗浄製品を用いた洗浄後の汚れ除去効率は、８０％以上に達することが見てとれ、成分の適当な選択及び特定の組合せにより、上記洗浄製品は、優れた汚れ除去効果を示すことがわかる。
【００３６】
【表２】
2017504697.tif 000003
【００３７】
表２における結果から、静菌実験で、本発明の健康によく環境にやさしいマイクロナノ洗浄製品を使用して９０％以上に達する滅菌率の優れた効果が得られることが見てとれ、成分の適当な選択及び特定の組合せにより、上記洗浄製品は優れた滅菌及び消毒能力を伴うことがわかる。
【００３８】
まとめると、本発明の健康によく環境にやさしいマイクロナノ洗浄製品は、単純な成分、便利な調製、その他の利点を有し、成分の適当な選択及び特定の組合せにより優れた汚れ除去効果を示し、優れた滅菌及び消毒能力も伴い、驚異的効果を達成して、広範な工業化の見込み及び市場的価値を有する。
【００３９】
これらの実施形態の使用は、本発明の保護の範囲を限定することを意図するのではなく、本発明を説明するためにのみ使用されていることが理解されるべきである。それに加えて、本発明の技術的内容を読んだ後には、当業者は、本発明に種々の変更、改変及び／又は変形を施すであろう。これら全ての等価形態は、本出願に添付された特許請求の範囲の保護の範囲内に入るということも理解されるべきである。
【国際調査報告】
2017504697.tif 000004
2017504697.tif 000005
2017504697.tif 000006
2017504697.tif 000007